(57)【要約】
【課題】
外観が良好で外反母趾の予防や痛みの抑制に高い効果を有し、実用的で美観の優れた外反母趾用の靴下を実現する。
【解決手段】
靴下１の足底部２に、つま先部２１の内表面を覆い、親指と第２指との間の位置に、前端から後端に向けて高さが徐々に高くなり後端が開口する袋部５１を底部２内表面との間に形成する布地５を縫合する。布地５の前縁および左右側縁は、つま先部２１の前縁および左右側縁に縫合してある。後縁は、袋部５１の開口を残して底部２内表面に縫合して取り付けてあり、袋部５１にその後端の開口からパッド材６を挿入するようになしてある。
【参考図】        図１
【実用新案登録請求の範囲】
【請求項１】
靴下のつま先部の底部内表面を覆い、親指と第２指との間の位置に、前端から後端に向けて高さが徐々に高くなり後端が開口する袋部を上記底部内表面との間に形成する布地を、その前縁および左右側縁を上記つま先部の前縁および左右側縁に縫合するとともに、その後縁を上記開口を残して上記底部内表面に縫合して取り付けてなり、上記袋部にその後端の開口からパッド材を挿入するようになしたことを特徴とする外反母趾用靴下。
【請求項２】
靴下の前縁と上記生地の前縁との縫合部には、上記袋部の前縁の左右両側に、タック部を形成した請求項１記載の外反母趾用靴下。
【考案の詳細な説明】
【技術分野】
【０００１】
本考案は、外反母趾による痛みを緩和または予防する外反母趾用靴下に関するものである。
【背景技術】
【０００２】
足の親指（母趾）が第２指側に曲がり、付け根の関節が変形して痛みを生じる、いわゆる外反母趾に悩む人が増加している。このため、着用により外反母趾を矯正して痛みを和らげ、または外反母趾の進行を防止するための装具が開発されている。一般に、外反母趾の矯正には、親指と第２指の間を押し広げて、変形した親指を元に戻すように固定するとよいことが知られ、矯正用の装具、中でも手軽に装着できる靴下類が注目されている。
【０００３】
例えば、特許文献１には、足親指が入る袋部とそれ以外の足指が入る幅広の袋部の間に、弾性材を入れるもう一つの袋部を設けた靴下が開示されている。しかしながら、足指付きの靴下は見栄えがよくないことから、外出先で靴を脱ぐ場合には、着用しづらい。このため、外からは外反母趾用であることが分からないような靴下が望まれており、例えば、特許文献２には、内側のみ足指付きとした二重靴下が提案されている。これは、内側靴下の親指と第２指の間に空間部を設けて、この空間部につま先側からクッション材を挿入し、足指の形成されていない外側靴下を重ねたものである。
【特許文献１】特開平７−３２４２０２号
【特許文献２】特開２００３−０５２７２８号
【０００４】
しかしながら、特許文献２の二重靴下は、装着が面倒である上、靴下が分厚くなる。また、クッション材を縫い込んだり、接合したりする必要があり、製作が容易でない、クッション材の交換ができないといった不具合があった。
【考案の開示】
【考案が解決しようとする課題】
【０００５】
そこで、本考案は、外観が良好で装着が容易であり、かつ外反母趾の予防効果、痛みの抑制効果が高い、実用的な外反母趾用の靴下を提供することを目的とする。
【課題を解決するための手段】
【０００６】
本考案の請求項１の外反母趾用靴下は、靴下のつま先部の底部内表面を覆い、親指と第２指との間の位置に、前端から後端に向けて高さが徐々に高くなり後端が開口する袋部を上記底部内表面との間に形成する布地を、その前縁および左右側縁を上記つま先部の前縁および左右側縁に縫合している。布地は、後縁を上記開口を残して上記底部内表面に縫合して取り付けており、上記袋部にその後端の開口からパッド材を挿入するようになしてある。
【０００７】
本考案の外反母趾用靴下は、パッド材を挿入する袋部を、つま先部内の底部側に設けており、甲部側には縫い目等がないので、外観が良好である。また、歩行中、甲側に比べると底部側の変形は小さいので、パッド材を挿入した袋部と足との相対位置がずれて、心地よくなかったり、パッド材が外れたりするのを防止できる。また、パッド材は着脱自在で、交換が容易である。よって、外観が良好で装着性もよく、外反母趾の予防や痛みの抑制に高い効果を有す、実用的な外反母趾用の靴下とすることができる。
【０００８】
本考案の請求項２の外反母趾用靴下は、さらに靴下の前縁と上記生地の前縁との縫合部において、上記袋部の前縁の左右両側に、タック部を形成する。
【０００９】
上記構成によれば、袋部の前縁にタック部を設けたので、先端側に十分なスペースが形成され、パッド材をつま先部の先端まで押し込むことができる。また、挿入したパッド材が押し出されにくくなるので、ずれや外れを防止する効果が高い。
【考案を実施するための最良の形態】
【００１０】
次に、本考案の外反母趾用靴下を、図１〜３により詳細に説明する。図１に示す第１の実施形態において、本考案の外反母趾用靴下１は、足底部２と足甲部３および脚部４からなる。足底部２には、つま先部２１の内表面を覆い、親指と第２指との間の位置に、パッド材６を収容するための袋部５１を形成する布地５が縫い付けられている。布地５は、伸縮性を有する編み生地で、好適には靴下生地と同材質のものを用いると着用感が良好となる。図２（ａ）に要部を拡大して示すように、袋部５１は、前端から後端に向けて高さが徐々に高くなり後端が開口する形状となるように、前縁の左右両側に、タック部５２、５３を有し、これらタック部５２、５３により、足指形状に沿うとともに、パッド材６を収容するための十分なスペースを有する袋部５１が形成される。布地５の後端縁は、ほつれ止めとのび止めのための縁かがりがなされており、袋部５１の形成位置を除いて足底部２に縫い付けてある。
【００１１】
袋部５１の形成は次のようにする。まず、布地５を、幅が前端から後方側へ向けて靴下本体のつま先部２１より徐々に広くなる略半円形状に裁断して、外周縁にほつれ止めのための縁かがりをなす。次いで、図３に示すように、布地５の前縁および側縁が、足底部２のつま先部２１の前縁および側縁に重なるように、袋部５１形成位置の両端にタック部５２、５３となる外向きのひだを配置し、前縁および側縁を縫い合わせる。袋部５１の形成部位を除く後縁と、袋部５１の両側縁も、足底部２のつま先部２１に縫着する。
【００１２】
このようにして形成した袋部５１に、パッド材６を挿入し（図２（ａ））、保持させることで（図２（ｂ））、外反母趾用靴下１とする。パッド材６は、ポリエチレン発泡体等の弾性材料からなり、袋部５１形状に応じた略半楕円状に成形される。本実施の形態では、挿入時や取出し時ににつまみやすいようにパッド材６の後端部に突起部を設け、また、中央部に設けた抜き穴内に着脱自在な小パッド材６１を保持している。この小パッド材６１を嵌め込み、または取り外すことで、硬さや通気性を調整することができる。
【００１３】
上記構成の外反母趾用靴下１は、パッド材６を収容する袋部５１を、足底部２に縫着したので、甲側から透けてみえたり、甲側に縫い目が出たりすることがなく、通常の靴下と外観上の違いがない。従って、靴をぬいでも、違和感を与えない。また、袋部５１の前縁にタック部５２、５３を設けたので、前端から後端へ向けて緩やかにカーブし、後半部は高さ方向に十分なマチを有する形状とすることができ、パッド材６を先端まで押し込むことができるとともに、挿入したパッド材６が押し出されて外れるおそれが小さい。
【００１４】
そして、例えば甲側にパッド材６を固定する場合に比べると、歩行時に足指と袋部５１内のパッド材６の相対位置がずれにくい。しかも、袋部５１の開口が後端側（かかと部２２側）にあるので、長時間着用しても、パッド材６が外れたりすることがない。また、厚みの異なるパッド材６を用意し、外反母趾の状態に応じて交換することで、外反母趾の防止、痛みの抑制といった効果をより高めることができる。さらに、パッド材６を外して洗濯できるので、パッド材６のへたりを防止し、耐久性を高めることができる。
【００１５】
上記第１の実施形態の外反母趾用靴下１は、足底部２と足甲部３および脚部４からなる短靴下として図示したが、本考案はこれに限定されるものではなく、ひざ丈ないしそれ以上の長さの長靴下、女性用タイツやストッキング等に適用することももちろんできる。女性用タイツやストッキングに適用した場合には、パンプスやハイヒールを履くことも可能となり、つま先部が露出するサンダルや靴等を履いても、外観が良好であるため、おしゃれ用としての需要が期待できる。
【図面の簡単な説明】
【００１６】
【図１】図１は本考案の第１の実施形態における外反母趾用靴下の全体斜視図である。
【図２】図２は第１の実施形態の外反母趾用靴下の要部拡大斜視図で、（ａ）はパッド材を挿入する図、（ｂ）はパッド材を装着した状態を示す図である。
【図３】図３は第１の実施形態の外反母趾用靴下の要部拡大正面図である。
【符号の説明】
【００１７】
１  外反母趾用靴下
２  足底部（底部）
２１  つま先部
２２  かかと部
３  足甲部
４  脚部
５  布地
５１  袋部
５２、５３  タック部
６  パッド材
【図１】
0003101118.tif 000002
【図２】
0003101118.tif 000003
【図３】
0003101118.tif 000004